(57)【要約】【課題】部品取り付け忘れによる調理の失敗を確実に防止できるパン製造機を提供する。【解決手段】パン材料（図示せず）を収納し練り羽根９を有するパン容器６と、パン容器６を加熱するヒータ７を具備した焼成室４と、練り羽根９を回転駆動するモータ３と、焼成室４を開閉する外蓋１４と、操作方法等を説明する音声ガイドのデータを記憶する記憶手段（図示せず）と、音声ガイドを音声で出力する音声発生手段（図示せず）と、製パン工程や音声発生手段の動作を制御する制御装置２６とを備え、調理開始前にパン作りに必要な部品の取り付け忘れを注意喚起する音声ガイドを出力するもので、ユーザーはうっかりしてパン作りに必要な部品の取り付けを忘れていても、調理開始前に部品の取り付け忘れを注意喚起する音声ガイドを聞いて、取り付け忘れた部品を取り付けることができるため、パンを正常に焼き上げ、調理の失敗や、時間と材料の無駄を防止することができる。【選択図】図１
2007307031.tif 000002
【特許請求の範囲】
【請求項１】
パン材料を収納すると共に練り羽根を有するパン容器と、前記パン容器を加熱するヒータを具備した焼成室と、前記練り羽根を回転駆動するモータと、前記焼成室を開閉する蓋と、操作方法等を説明する音声ガイドのデータを記憶する記憶手段と、前記音声ガイドを音声で出力する音声発生手段と、製パン工程や前記音声発生手段の動作を制御する制御手段とを備え、調理開始前にパン作りに必要な部品の取り付け忘れを注意喚起する音声ガイドを出力するパン製造機。
【請求項２】
部品の取り付け忘れを注意喚起する音声ガイドを出力後、取り付けを忘れていた前記部品を取り付けるのに必要な時間待機した後に、運転を開始させるようにした請求項１に記載のパン製造機。
【請求項３】
パン容器の取り付け忘れを注意喚起する音声ガイドを出力する請求項１又は２に記載のパン製造機。
【請求項４】
練り羽根の取り付け忘れを注意喚起する音声ガイドを出力する請求項１〜３のいずれか１項に記載のパン製造機。
【請求項５】
形状の異なる複数の練り羽根を具備し、調理開始前に選択した調理メニューに応じた練り羽根を取り付けたか注意喚起する音声ガイドを出力する請求項１〜４のいずれか１項に記載のパン製造機。
【請求項６】
蓋にパンの副材料を入れる蓋容器を具備し、調理開始前に前記蓋容器を取り付けたか注意喚起する音声ガイドを出力する請求項１〜５のいずれか１項に記載のパン製造機。
【発明の詳細な説明】
【技術分野】
【０００１】
本発明は、主にパン等の所定の調理材料をパン容器に入れるだけで自動的にパン等の製造を行うことができる一般家庭で使用するパン製造機に関するものである。
【背景技術】
【０００２】
従来、この種のパン製造機には、音声ガイドのデータを記憶する記憶手段と、この記憶手段から必要な音声ガイドのデータを音声で出力する音声発生手段を備え、前記記憶手段には、操作手順を指示する操作ガイドと、実行中の調理工程及びその内容を指示する調理ガイドと、正常なパンを作る上で障害となる異常が発生した時にその内容を指示するエラーガイドとが記憶され、前記記憶手段から所定の音声ガイドデータを読み出し、前記音声発生手段を作動させる制御手段を備えて、音声で、使用者に操作方法などを知らせるようにして、使用勝手を向上させたものがあった（例えば、特許文献１参照）。
【特許文献１】特開平８−２４１４０号公報
【発明の開示】
【発明が解決しようとする課題】
【０００３】
しかしながら前記従来のパン製造機の構成では、操作ガイドと調理ガイドとエラーガイドのデータはそれぞれ音声で出力されるが、ユーザーのうっかりミス防止の注意喚起は出力されないため、正しい操作を行っても、ユーザーがうっかりしてパン作りに不可欠な部品の取り付けを忘れると、パンがうまく焼き上がらないことがあった。例えば、パン材料を入れたパン容器を本体に取付けるのを忘れたり、パン材料を入れたパン容器を本体に取り付けていても練り羽根をパン容器に取り付けるのを忘れると、パンはできない。また、レーズン等の副材料を入れた着脱自在の蓋容器を取り付け忘れると、ユーザーが意図しなかったパンはできるが、望んでいたレーズンパン等の副材料を使ったパンはできなかった。しかも、このようなユーザーによるうっかり使用の場合、ユーザーは部品の取り付け忘れを自覚していないことが多く、数時間が経過し出来上がり時刻にパンを取り出す際に初めて失敗に気付き、時間と材料を無駄に使ってしまうことがあった。
【０００４】
本発明は、前記従来の課題を解決するもので、ユーザーの部品取り付け忘れなどによる調理の失敗防止を図ったパン製造機を提供することを目的とする。
【課題を解決するための手段】
【０００５】
前記従来の課題を解決するために、本発明のパン製造機は、パン材料を収納すると共に練り羽根を有するパン容器と、前記パン容器を加熱するヒータを具備した焼成室と、前記練り羽根を回転駆動するモータと、前記焼成室を開閉する蓋と、操作方法等を説明する音声ガイドのデータを記憶する記憶手段と、前記音声ガイドを音声で出力する音声発生手段と、製パン工程や前記音声発生手段の動作を制御する制御手段とを備え、調理開始前にパン作りに必要な部品の取り付け忘れを注意喚起する音声ガイドを出力するもので、ユーザーはうっかりしてパン作りに必要な部品の取り付けを忘れていても、調理開始前に前記部品の取り付け忘れを注意喚起する音声ガイドを聞いて、調理開始前に前記部品の取り付け忘れに気付き、その部品を取り付けることができるため、パンを正常に焼き上げることができ、調理の失敗防止を図り失敗による時間と材料の無駄を防止することができる。
【発明の効果】
【０００６】
本発明のパン製造機は、ユーザーのうっかりミスで、パン作りに必要な部品の取り付けを忘れても、ユーザーは調理開始前に前記部品の取り付け忘れに気付き、取り付けを忘れていたその部品を取り付けることができるため、パンを正常に焼き上げることができ、調理の失敗防止を図り、失敗による時間と材料の無駄を防止することができる。
【発明を実施するための最良の形態】
【０００７】
第１の発明は、パン材料を収納すると共に練り羽根を有するパン容器と、前記パン容器を加熱するヒータを具備した焼成室と、前記練り羽根を回転駆動するモータと、前記焼成室を開閉する蓋と、操作方法等を説明する音声ガイドのデータを記憶する記憶手段と、前記音声ガイドを音声で出力する音声発生手段と、製パン工程や前記音声発生手段の動作を制御する制御手段とを備え、調理開始前にパン作りに必要な部品の取り付け忘れを注意喚起する音声ガイドを出力するもので、ユーザーはうっかりしてパン作りに必要な部品の取り付けを忘れていても、調理開始前に前記部品の取り付け忘れを注意喚起する音声ガイドを聞いて、調理開始前に前記部品の取り付け忘れに気付き、その部品を取り付けることができるため、パンを正常に焼き上げることができ、調理の失敗防止を図り失敗による時間と材料の無駄を防止することができる。
【０００８】
第２の発明は、特に、第１の発明の部品の取り付け忘れを注意喚起する音声ガイドを出力後、取り付けを忘れていた前記部品を取り付けるのに必要な時間待機した後に、運転を開始させるようにしたもので、ユーザーは取り付け忘れに気付いた部品を、調理開始前の停止中に確実かつ安全に取り付けることができ、より確実に調理の失敗防止を図ることができる。
【０００９】
第３の発明は、特に、第１又は第２の発明のパン容器の取り付け忘れを注意喚起する音声ガイドを出力するもので、忘れるとパンができず致命的な失敗となるパン容器について、具体的に注意喚起を促すことにより、ユーザーにパン容器の取り付け忘れを気付かせ、調理開始前に取り付けを忘れていたパン容器を取り付けることができ、パンを正常に焼き上げることができ、調理の失敗防止を図り失敗による時間と材料の無駄を防止することができる。
【００１０】
第４の発明は、特に、第１〜３のいずれか一つの発明の練り羽根の取り付け忘れを注意喚起する音声ガイドを出力するもので、忘れるとパンができず致命的な失敗となる練り羽根について、具体的に注意喚起を促すことにより、ユーザーに練り羽根の取り付け忘れを気付かせ、調理開始前に取り付けを忘れていた練り羽根を取り付けることができるため、パンを正常に焼き上げることができ、調理の失敗防止を図り失敗による時間と材料の無駄を防止することができる。
【００１１】
第５の発明は、特に、第１〜４のいずれか一つの発明のパン製造機に形状の異なる複数の練り羽根を具備し、調理開始前に選択した調理メニューに応じた練り羽根を取り付けたか注意喚起する音声ガイドを出力するもので、忘れたり間違ったりすると選択した調理メニューができず致命的な失敗となる練り羽根について、具体的に注意喚起を促して、ユーザーに、選択した調理メニューに応じた練り羽根を取り付けてないことを気付かせ、調理開始前に所定の練り羽根を取り付けることができるため、選択した調理メニューを正常に作り上げることができ、調理の失敗防止を図り失敗による時間と材料の無駄を防止することができる。
【００１２】
第６の発明は、特に、第１〜５のいずれか一つの発明の蓋にパンの副材料を入れる蓋容器を具備し、調理開始前に前記蓋容器を取り付けたか注意喚起する音声ガイドを出力するもので、忘れるとユーザーの望むパンができなくなるパンの副材料を入れる蓋容器について、具体的に注意喚起を促すことにより、ユーザーに前記蓋容器の取り付け忘れを気付かせ、調理開始前に取り付けを忘れていた前記蓋容器を取り付けることができるため、ユーザーの望むパンを正常に焼き上げることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態におけるパン製造機の縦断面図、図２は、同パン製造機の斜視図である。
【００１５】
図１、２において、樹脂で形成した本体１の下部にはシャーシ２が取付けられ、このシャーシ２には、モータ３と、焼成室４と、容器取付台５が取り付けられている。また、焼成室４の内部には、パン等の調理材料を収納する着脱自在なパン容器６と、パン容器６を加熱するヒータ７と、焼成室４内の温度を検知する温度検知部８が設けられている。さらにパン容器６は、調理材料を混練する練り羽根９と、練り羽根９が嵌合されベルト１０を介しモータ３によって回転駆動される回転軸１１と、回動自在でパン容器６の着脱時や持ち運び時に握る把手１２を備えている。
【００１６】
本体１の上部には、内蓋１３を具備し焼成室４を開閉する蓋となる外蓋１４が回動自在に取り付けられ、外蓋１４にはイーストを収納するイースト容器１５と、レーズンやナッツ等の製パン副材料を収納する着脱自在の蓋容器１６が配設され、蓋容器１６には、凹形状に形成された摘み部１７と、下方の開口部３０を開閉すると共に投入手段である開閉板１８が回動自在に取り付けられている。また、容器蓋１９は、外蓋１４に回動自在かつ着脱自在に取り付けられ、イースト容器１５と蓋容器１６を開閉し、耐熱性の高い材料で形成され直接蓋容器１６上方の開口部３１を開閉する中蓋２０と、中蓋２０外周に装着されるパッキン２１を備えている。
【００１７】
また本体１には、メニューの選択や調理のスタート等を行う操作部材２２と、本体１持ち運び用の取手２３と、先端に差込プラグ２４を具備し本体１に電源を供給する電源コード２５が取り付けられ、内部には、練り羽根９を回転させるモータ３、調理材料（図示せず）を加熱するヒータ７、開閉板１８を開放するソレノイド（図示せず）等への通電を制御し、温度検知部８により検知された温度情報に基づいて、混練、ねかし、発酵、ガス抜き、焼成等の調理工程を自動的に行う制御手段である制御装置２６が設けられている。
【００１８】
この制御装置２６は、調理の制御手段に加え、操作方法等を音声で説明する音声ガイドのデータを記憶する記憶手段（図示せず）と、前記音声ガイドを音声で出力するスピーカー等からなる音声発生手段（図示せず）と、製パン工程や、音声を発する音声発生手段の動作を制御する制御手段を備え、ユーザーによって選択されたメニューに応じて、調理開始前にパン作りに必要な部品の取り付け忘れを注意喚起する音声ガイドを出力するようになっている。
【００１９】
さらに前記注意喚起の音声ガイド出力後は、ユーザーが取り付けを忘れた部品を準備し取り付けられるように、所定の時間、例えば３分間待機した後に運転を開始するようにしている。また、パン作りに必要な部品の入れ忘れを注意喚起する音声ガイドは、パン容器６、練り羽根９、めん・もち羽根２７、蓋容器１６等の部品名を具体的に挙げ、練り羽根９やめん・もち羽根２７については、ユーザーが選択した調理メニューに応じたものを使用しているか、ユーザーに具体的に注意喚起を促している。
【００２０】
なお、練り羽根９は、パンやピザ生地の材料を混練する場合に使用する羽根で、うどん・パスタ生地や餅を作る場合は、練り羽根９とは形状の異なるめん・もち羽根２７を使用する。うどん・パスタ生地や餅は、パンやピザ生地に比べ負荷が重いため、パンと同じ練り羽根９を使用すると回転がロックしてしまい、材料を均一に混ぜ合わすことができないので、めん・もち羽根２７は、練り羽根９より小さく形成し、めん・もち羽根２７にかかる負荷を軽減している。
【００２１】
以上のように構成されたパン製造機について、以下にその動作と作用を説明する。
【００２２】
レーズンやナッツ等の副材料を使ってパンを焼き上げる場合は、まず練り羽根９をパン容器６の底面に配設された回転軸１１に取り付けてから、小麦粉、砂糖、塩、スキムミルク、バター、水等の製パン基本材料をパン容器６中に入れる。次にこのパン容器６を焼成室４内の容器取付台５にセットして外蓋１４を閉じた後、容器蓋１９を開いてイーストをイースト容器１５に入れ、ユーザーの好みに応じてレーズンやナッツ等の製パン副材料を入れた蓋容器１６を外蓋１４に取り付けて、容器蓋１９を閉じる。
【００２３】
次に、副材料を使うパンのメニューを、操作部材２２上の所定のキーを押して選択すると、調理開始前にパン作りに必要な部品の取り付け忘れを注意喚起する音声ガイドが出力され、３分間待機する。そのため、ユーザーは、必要な部品の取り付け忘れに気付くことができるとともに、３分間待機している間にその部品を取り付けることができる。その後、所定の時間が経過すると調理が開始され、練り羽根９が回転し始め基本材料を混練する混練工程が始まる。
【００２４】
混練が進みパン生地が形成されると、練り羽根９の回転が止まってねかし工程に入り、その間にソレノイド（図示せず）が動作して、イースト容器１５よりイーストが自動投入される。所定の時間ねかした後は、再度混練が始まりイーストがパン生地中に均一に練り込まれ、混練終了の数分前に開閉板１８がソレノイドにより開かれ、蓋容器１６中の副材料がパン容器６中に投入されるとともに、副材料がパン生地中に均一に攪拌される。その後、発酵、ガス抜き、焼成の各工程を経てパンが焼き上がる。
【００２５】
以上のように、本実施の形態によれば、調理開始前にパン作りに必要な部品の取り付け忘れを注意喚起する音声ガイドを出力することにより、ユーザーはうっかりしてパン作りに必要な部品の取り付けを忘れていても、前記部品の取り付け忘れを注意喚起する音声ガイドを聞いて、調理開始前に前記部品の取り付け忘れに気付き、取り付け忘れた前記部品を取り付けることができるため、パンを正常に焼き上げることができ、調理の失敗防止を図り、失敗による時間と材料の無駄を防止することができる。
【００２６】
また、調理開始前にパン作りに必要な部品の取り付け忘れを注意喚起する音声ガイドを出力後、取り付けを忘れていた前記部品を取り付けるのに必要な時間待機した後に、運転を開始させるようにしたことにより、ユーザーは、取り付け忘れに気付いた前記部品を、調理開始前の停止中に確実かつ安全に取り付けることができ、より安全に調理の失敗防止を図ることができる。
【００２７】
また、調理開始前に、パン容器６を取り付けたか注意喚起する音声ガイドを出力することにより、忘れるとパンができず致命的な失敗となるパン容器６について、具体的に注意喚起を促すことができ、ユーザーにパン容器６の取り付け忘れを気付かせ、調理開始前に取り付けを忘れていたパン容器６を取り付けることができるため、パンを正常に焼き上げることができ、調理の失敗防止を図り失敗による時間と材料の無駄を防止することができる。
【００２８】
また、調理開始前に練り羽根９を取り付けたか注意喚起する音声ガイドを出力することにより、忘れるとパンができず致命的な失敗となる練り羽根９について、具体的に注意喚起を促すことができ、ユーザーに練り羽根９の取り付け忘れを気付かせ、調理開始前に取り付けを忘れていた練り羽根９を取り付けることができるため、パンを正常に焼き上げることができ、調理の失敗防止を図り失敗による時間と材料の無駄を防止することができる。
【００２９】
さらに、調理開始前にユーザーが選択した調理メニューに応じた羽根を取り付けたか注意喚起する音声ガイドを出力することにより、忘れたり間違ったりすると選択した調理メニューができず致命的な失敗となる羽根について、具体的に注意喚起を促すことができ、ユーザーに選択した調理メニューに応じた羽根を取り付けてないことを気付かせ、調理開始前に所定の羽根を取り付けることができるため、選択した調理メニューを正常に作り上げることができ、調理の失敗防止を図り失敗による時間と材料の無駄を防止することができる。
【００３０】
また、調理開始前にパンの副材料を入れる着脱自在な蓋容器１６を取り付けたか注意喚起する音声ガイドを出力することにより、忘れるとユーザーの望むパンができなくなるパンの副材料を入れる着脱自在な蓋容器１６について、具体的に注意喚起を促すことができ、ユーザーに前記蓋容器１６の取り付け忘れを気付かせ、調理開始前に取り付けを忘れていた前記蓋容器１６を取り付けることができるため、ユーザーの望むパンを正常に焼き上げることができる。
【００３１】
なお上記実施の形態では、パン、ピザ生地、うどん・パスタ、餅について説明したが、調理物はそれらに限定したものでなく、それら以外の様々な調理メニューについても、調理に必要な部品の取り付け忘れを注意喚起する音声ガイドを出力することで、ユーザーのうっかりミスによる調理の失敗を防止できることは言うまでもない。
【００３２】
また、上記実施の形態では、注意喚起の音声ガイド出力から調理開始までの待機時間を３分間としたが、調理に必要な部品を準備し取り付けるのに要する時間は、調理メニューにより異なるため、待機時間は３分に固定せず調理物に応じて変えてもよい。
【産業上の利用可能性】
【００３３】
以上のように、本発明にかかるパン製造機は、ユーザーのうっかりミスによる調理に必要な部品の取り付け忘れを確実に防ぐことができるもので、パン製造機に限らず、着脱自在の部品を有する各種調理機器の用途にも適用できる。
【図面の簡単な説明】
【００３４】
【図１】本発明の実施の形態１におけるパン製造機の縦断面図
【図２】同パン製造機の斜視図
【符号の説明】
【００３５】
１  本体
３  モータ
４  焼成室
６  パン容器
７  ヒータ
９  練り羽根
１４  外蓋（蓋）
１５  イースト容器
１６  蓋容器
２２  操作部材
２６  制御装置（制御手段）
２７  めん・もち羽根
【図１】
2007307031.tif 000003
【図２】
2007307031.tif 000004